(57)【要約】  【課題】  一方向に延びる細長い閉じられた空間において、明瞭に放送内容を聞くことができる放送装置を提供する。  【解決手段】  トンネル内にトンネルの延びる方向に沿って設置された複数のスピーカ２０と、各スピーカ２０の出力を制御する放送制御部１４とを備え、トンネルを複数のエリアに分け、互いに隣接するエリアにあるスピーカ２０から同時に音声が出力されないように制御する。【選択図】  図１
2006295285.tif 000002
【特許請求の範囲】
【請求項１】
一方向に延びる閉じられた空間内に、該空間の延びる方向に沿って設置された複数のスピーカと、
前記空間を複数のエリアに分け、互いに隣接するエリアにあるスピーカから同時に音声が出力されないように、各スピーカの出力を制御する制御部と、
を備えたことを特徴とする放送装置。
【請求項２】
前記制御部は、前記スピーカの音声出力を行うときに、前記エリアの中で前記空間の出口に近いスピーカから順に音声を出力して、出口への方向感を持たせるように制御することを特徴とする請求項１に記載の放送装置。
【請求項３】
前記制御部は、一のエリアのスピーカの音声出力の終了から所定の時間が経過するまで、前記一のエリアに隣接するエリアのスピーカから音声を出力しないように制御することを特徴とする請求項２に記載の放送装置。
【請求項４】
一方向に延びる閉じられた空間内に、該空間の延びる方向に沿って設置された複数のスピーカと、
互いに隣接するスピーカから同時に音声が出力されないように、各スピーカの出力を制御する制御部と、
を備えることを特徴とする放送装置。
【請求項５】
前記制御部は、一のスピーカの音声出力の終了から所定の時間が経過するまで、前記一のスピーカに隣接するスピーカから音声を出力しないように制御することを特徴とする請求項４に記載の放送装置。
【請求項６】
前記スピーカは、前記スピーカから出力された音声が所定値に減衰される距離以下の間隔で設置されていることを特徴とする請求項１ないし５のいずれかに記載の放送装置。
【請求項７】
前記空間は、所定の方向へ人が流れるトンネルであって、
前記トンネル内での事故の発生を検出する事故検出部が備えられ、
前記制御部は、前記事故検出部にて検出された事故の発生地点より前記所定の方向にあるスピーカから音声を出力しないように制御することを特徴とする請求項１ないし６のいずれかに記載の放送装置。
【請求項８】
前記制御部は、事故発生の検出後最初に、前記事故の発生地点に最も近接したスピーカから音声を出力するように制御することを特徴とする請求項７に記載の放送装置。
【請求項９】
一方向に延びる閉じられた空間内に、該空間の延びる方向に沿って設置された複数のスピーカを備えた放送装置を用いた放送方法であって、前記空間を複数のエリアに分け、互いに隣接するエリアにあるスピーカから同時に音声が出力されないように、各スピーカの出力を制御することを特徴とする放送方法。
【発明の詳細な説明】
【技術分野】
【０００１】
本発明は、複数のスピーカで放送を行う放送装置に関する。
【背景技術】
【０００２】
従来から、複数のスピーカで放送を行う放送装置が知られている。例えば、特許文献１には、比較的に広い空間で避難誘導を行うための音声避難誘導システムが記載されている。
【０００３】
特許文献１に記載されたシステムでは、比較的に広い空間の複数の出口付近にスピーカを備え、音声制御装置によって各スピーカの音声出力（鳴動時期）を同期させる。これにより、近くにあるスピーカからの音声の方が遠くにあるスピーカからの音声より先に到達するので、先行音効果によって、広場にいる人を最も近い出口に誘導することができる。
【特許文献１】特開平１０−３２０６５４号公報
【発明の開示】
【発明が解決しようとする課題】
【０００４】
上記した特許文献１に記載されたシステムは、比較的に広い空間においては有効であるが、トンネルや駅のホームのように細長くかつ閉じられた空間では、多数のスピーカから一斉に音声を出力すると放送内容が明瞭に聞こえなくなってしまう。
【０００５】
本発明は上記背景に鑑み、一方向に延びる閉じられた空間において、明瞭に放送内容を聞くことができる放送装置を提供することを目的とする。
【課題を解決するための手段】
【０００６】
本発明の放送装置は、一方向に延びる閉じられた空間内に、該空間の延びる方向に沿って設置された複数のスピーカと、前記空間を複数のエリアに分け、互いに隣接するエリアにあるスピーカから同時に音声が出力されないように、各スピーカの出力を制御する制御部とを備える。
【０００７】
このように空間を複数のエリアに分け、互いに隣接するエリアのスピーカから同時に音声が出力されないように制御することにより、隣のエリアの残響の影響を低減し、一方向に延びる閉じられた空間内で明瞭に聞こえる放送を行える。
【０００８】
上記放送装置において、前記制御部は、前記スピーカの音声出力を行うときに、前記エリアの中で前記空間の出口に近いスピーカから順に音声を出力して、出口への方向感を持たせるように制御してもよい。
【０００９】
このように出口に近いスピーカから順に音声を出力することにより、先行音効果により出口の方から放送がなされているように聞こえ、方向感が分かる。これにより、例えば、火災などで視界がはっきりしない場合も出口の方向を認識させることができ、空間内にいる人を出口に誘導することができる。また、出口に近い方から順に音声を出力する制御をエリアごとに行うので、空間内の場所による放送開始の時間差を低減できる。すなわち、すべてのスピーカに遅延を与えて順番に音声出力すると、最初に音声出力したスピーカと最後に音声出力したスピーカとでは、（遅延時間）×（スピーカ数）の遅延時間が生じるが、本発明によれば、エリア内にあるスピーカ数分しか遅延が生じない。
【００１０】
上記放送装置において、前記制御部は、一のエリアのスピーカの音声出力の終了から所定の時間が経過するまで、前記一のエリアに隣接するエリアのスピーカから音声を出力しないように制御してもよい。
【００１１】
このように隣接するエリアのスピーカの音声出力が終了して所定の時間が経過してから、音声を出力することにより、隣接するエリアの残響が充分に消えてから音声を出力でき、明瞭に聞こえる放送を行える。
【００１２】
本発明の別の態様に係る放送装置は、一方向に延びる閉じられた空間内に、該空間の延びる方向に沿って設置された複数のスピーカと、互いに隣接するスピーカから同時に音声が出力されないように、各スピーカの出力を制御する制御部とを備える。
【００１３】
このように互いに隣接するスピーカから同時に音声が出力されないように制御することにより、隣のスピーカの残響の影響を低減し、一方向に延びる閉じられた空間内で明瞭に聞こえる放送を行える。
【００１４】
上記放送装置において、前記制御部は、一のスピーカの音声出力の終了から所定の時間が経過するまで、前記一のスピーカに隣接するスピーカから音声を出力しないように制御してもよい。
【００１５】
このように隣接するスピーカの音声出力が終了して所定の時間が経過してから、音声を出力することにより、隣接するスピーカの残響が充分に消えてから音声を出力できるので、明瞭に聞こえる放送を行える。
【００１６】
上記放送装置において、前記スピーカから出力された音声が所定値に減衰される距離以下の間隔で前記スピーカを設置してもよい。
【００１７】
これにより、空間内のどの場所にいても、所定値以上の大きさの音声を聞くことができる。
【００１８】
上記放送装置において、前記空間は、所定の方向へ人が流れるトンネルであって、前記トンネル内での事故の発生を検出する事故検出部が備えられ、前記制御部は、前記事故検出部にて検出された事故の発生地点より前記所定の方向にあるスピーカから音声を出力しないように制御してもよい。
【００１９】
事故発生地点より進行方向にいる人は、自然にトンネルの外に出ることになるので、事故が発生した場合に案内放送をする必要がない。音声出力を、進行方向とは反対にあるスピーカに限定することにより、トンネル内の残響を減らし、明瞭に聞こえる放送が可能となり、事故発生時の避難誘導を適切に行える。
【００２０】
上記放送装置において、前記制御部は、事故発生の検出後最初に、前記事故の発生地点に最も近接したスピーカから音声を出力するように制御してもよい。
【００２１】
この構成により、最も緊急を要する場所にいる人に、最初に事故発生を知らせることができる。
【００２２】
本発明の放送方法は、一方向に延びる閉じられた空間内に、該空間の延びる方向に沿って設置された複数のスピーカを備えた放送装置を用いた放送方法であって、前記空間を複数のエリアに分け、互いに隣接するエリアにあるスピーカから同時に音声が出力されないように各スピーカの出力を制御する。
【００２３】
この構成により、上記した放送装置と同様に、一方向に延びる閉じられた空間内で明瞭に聞こえる放送を行える。また、上記した放送装置の各種の構成を本発明の放送方法に適用することも可能である。
【発明の効果】
【００２４】
本発明は、空間を複数のエリアに分け、互いに隣接するエリアのスピーカから同時に音声が出力されないように制御することにより、隣のエリアの残響の影響を低減し、一方向に延びる閉じられた空間内で明瞭に聞こえる放送を行えるというすぐれた効果を有する。
【発明を実施するための最良の形態】
【００２５】
以下、本発明の実施の形態の放送装置について説明する。以下の説明では、放送装置をトンネルに適用した例について説明するが、本発明はトンネルだけではなく、例えば駅のホームなど、細長い閉じられた空間に適用することが可能である。
【００２６】
図１は、本発明の第１の実施の形態の放送装置１を示す図である。放送装置１は、案内放送の音声データを送信するセンタ装置１０と、トンネル内に設置される複数のスピーカ２０とを備えている。センタ装置１０とスピーカ２０とは、電力線によって接続され、音声データは電力線通信（ＰＬＣ）によって送信される。これにより、各スピーカ２０に電力を供給することもできる。
【００２７】
センタ装置１０は、案内放送の音声データを生成する音源装置１２と、音声データの送信先となるスピーカ２０の選択および音声の出力タイミングを制御する放送制御部１４と、音声データを電力線に出力するためのインターフェース部１６とを備えている。また、センタ装置１０は、スピーカ２０への出力タイミング等をマニュアルで操作するための操作部１８を備えている。
【００２８】
図２は、トンネル内にスピーカ２０が設置された様子を示す図である。スピーカ２０はトンネル内に所定の間隔で設置される。この間隔は、スピーカの性能にもよるが１００ｍ〜２００ｍ程度が好ましい。具体的には、類似物件の音響特性シミュレーションおよび顧客の要求等を考慮して間隔を決定する。これにより、トンネル内のどこにいても所定値以上の音の大きさで聞くことが可能となる。例えば、所定値を０．５とした場合、トンネル内のとこにいてもスピーカ２０の出力の半分以上の大きさで聞くことができることとなる。
【００２９】
スピーカ２０は、トンネル内を通過する車の進行方向と反対に音声を出力する向きで設置される。なお、本実施の形態では、スピーカ２０は一方向に音声を出力するタイプのスピーカであるが、前後に音声を出力するタイプのスピーカや全方向に音声を出力するタイプのスピーカを用いてもよい。
【００３０】
また、スピーカ２０には、電力線から音声データを取得するための受信部２２が取り付けられている（図１参照）。
【００３１】
次に、第１の実施の形態の放送装置１による放送制御について説明する。まず、センタ装置１０の音源装置１２にて案内放送の音声データを生成する。そして、放送制御部１４が音声データを出力するスピーカ２０を制御する。放送制御部１４はトンネル内の空間を分割したエリアごとに放送制御を行う。図３に、放送制御の単位となるエリアの例を示す。図３において、一つのエリアに含まれるスピーカの数は、複数でもよいし、一つでもよい。
【００３２】
図４は、エリアごとの音声出力タイミングを示す図である。図４に示されるように、放送制御部１４は、まず、一つおきのエリアのスピーカから音声を出力する。具体的には、エリアＡ，Ｃ，Ｅのスピーカから音声を出力し、エリアＢ，Ｄ，Ｆのスピーカからは音声を出力しないように制御する（ｔ＝Ｔ１〜Ｔ２）。ここで、行う音声出力は、残響を低減させるため、短いメッセージであることが好ましく、長くても１０数秒とする。
【００３３】
そして、エリアＡ，Ｃ，Ｅのスピーカからの音声出力が終了したら、所定の無音時間を設定する（ｔ＝Ｔ２〜Ｔ３）。無音時間の長さは、残響の長さにもよるが、数秒間設定することが好ましい。その後、エリアＢ，Ｄ，Ｆのスピーカから音声を出力し、エリアＡ，Ｃ，Ｅのスピーカ２０からは音声を出力しないように制御する（ｔ＝Ｔ３〜Ｔ４）。
【００３４】
以上のように、第１の実施の形態では、上記の制御を行うことによって、トンネル内において明瞭に放送内容を聞くことができる。すなわち、１００〜２００ｍという比較的短い間隔でスピーカ２０を設置しているので、トンネル内のどこでも大きい音で放送を聞くことができる。トンネル内では残響が残りやすいが、本実施の形態では、一斉に放送するスピーカの数を減らすことによって残響を低減させ、大きい音声と明瞭度とを両立させることができる。また、互いに隣接するエリアでは、同時に放送を行わないことにより、隣接エリアの影響を低減し、明瞭度の低下を防止できる。
【００３５】
また、エリアＡ，Ｃ，Ｅでの音声出力とエリアＢ，Ｄ，Ｆでの音声出力との間に、所定の無音時間（ｔ＝Ｔ２〜Ｔ３）を設定しているので、エリアＢ，Ｄ，Ｆの放送が開始されるまでに、トンネル内での残響が消え、放送の明瞭度を保つことができる。
【００３６】
次に、本発明の第２の実施の形態の放送装置１について説明する。第２の実施の形態の放送装置１は、基本的な構成は第１の実施の形態の放送装置１と同じであるが、トンネル内で事故が発生したときに、事故発生地点に応じた放送を行う点が異なる。
【００３７】
図５は、第２の実施の形態の放送装置１の構成を示す図である。トンネル内に設置されたスピーカ２０には、事故検知部２４が取り付けられている。また、事故検知部２４にて検知した事故の情報をセンタ装置１０に送信するため、スピーカ２０には、第１の実施の形態の受信部２２に代えて送受信部２６が取り付けられている。なお、本実施の形態では、各スピーカ２０に事故検知部２４を取り付ける例について説明しているが、事故を検知する装置を、スピーカ２０と別に設けてもよい。
【００３８】
次に、事故発生時の案内放送の制御について説明する。トンネル内で事故は発生したときには、トンネルの外へ避難させるための案内放送がなされる。
【００３９】
図６は、事故発生の地点を示す図である。トンネル内のエリアＣにおいて、火災が発生したとする。事故検知部２４が火災を検知すると、火災の情報を送受信部２６を通じてセンタ装置１０に送信する。センタ装置１０は、火災発生の情報を受けると、火災発生地点を特定する。
【００４０】
次に、センタ装置１０の放送制御部１４は、火災発生地点に最も近いエリアのスピーカから案内放送を開始する。火災発生地点より進行方向にいる車は、案内放送をしなくても自然にトンネルの外に出て行くため、第２の実施の形態においては、火災発生地点より車の進行方向にあるエリアＡ，Ｂからの音声出力は行わない。
【００４１】
図７は、第２の実施の形態の放送装置１による放送の制御を示す図である。図７に見られるように、まずエリアＣ，Ｅのスピーカ２０から音声を出力し、次に所定の無音時間を設定し、その後でエリアＤ，Ｆのスピーカ２０から音声を出力する。
【００４２】
また、第２の実施の形態の放送装置１は、各エリアのスピーカ２０から案内放送を行うときに、エリアの中で出口に近いスピーカ２０から順にわずかな遅延（例えば数１０ｍｓｅｃ）を与えて音声を出力する。これにより、先行音効果によって案内放送に方向感を持たせることができ、適切に出口に誘導することができる。
【００４３】
以上のような制御を行うことにより、第２の実施の形態の放送装置１は、第１の実施の形態と同様に、明瞭な放送を行えるという効果がある。
【００４４】
また、第２の実施の形態の放送装置１では、方向感を持たせる制御をエリアごとに行うので、トンネル内での放送開始の時間差を低減できる。図８（ａ）および（ｂ）は、放送開始の時間差の低減の効果について説明する図である。例えば、１つのスピーカにつき０．５秒ずつ遅延させて音声出力したとする。方向感を持たせる音声出力制御を全スピーカで行うと、図８（ａ）に示すように、最初に放送するスピーカ２０ａと最後に放送するスピーカ２０ｂとでは、放送開始の時間に７．５秒もの遅れが生じることになる。図８（ｂ）に示すように３つのエリアのそれぞれで音声出力制御を行えば、それぞれのエリアの最初のスピーカ２０ａと最後のスピーカ２０ｂとの放送開始の遅れは２．５秒に短縮できる。
【００４５】
また、第２の実施の形態の放送装置１は、火災が発生したときに、その火災発生地点より車の進行方向にあるスピーカ２０からは音声を出力しない。すなわち、必要なエリアだけに避難のための案内放送をして、一斉に音声出力するスピーカの数を低減して、トンネル内の残響を抑えることができる。
【００４６】
また、第２の実施の形態の放送装置１は、火災が発生したときに、その火災発生地点に最も近いスピーカ２０を含むエリアのスピーカ２０から避難のための案内放送を行うことにより、最も危険な場所にいる人に注意を呼びかけることができる。
【００４７】
以上、本発明の放送装置について、実施の形態を挙げて詳細に説明したが、本発明は上記した実施の形態に限定されるものではない。
【００４８】
上記した実施の形態において、放送制御を行う単位となるエリアは、毎回一定である必要はなく、放送内容等に応じて、適切に変更することも可能である。図３に示すエリアＡ，Ｂを合わせてエリアＸ、エリアＣ，Ｄを合わせてエリアＹ、エリアＥ，Ｆを合わせてエリアＺとし、３つのエリアで放送を制御してもよい。また、すべてのエリアが等しい大きさでなくてもよく、例えば、カーブなどにおいて、エリアを小さく設定することも可能である。
【産業上の利用可能性】
【００４９】
以上説明したように、本発明は、一方向に延びる閉じられた空間内で明瞭に聞こえる放送を行えるというすぐれた効果を有し、トンネル等の細長い空間で放送を行う放送装置等として有用である。
【図面の簡単な説明】
【００５０】
【図１】第１の実施の形態の放送装置の構成を示す図
【図２】スピーカの設置例を示す図
【図３】放送制御の単位となるエリアを示す図
【図４】第１の実施の形態における放送制御部による制御を説明するための図
【図５】第２の実施の形態の放送装置の構成を示す図
【図６】火災発生地点の例を示す図
【図７】第２の実施の形態における放送制御部による制御を説明するための図
【図８】（ａ）第２の実施の形態の効果を説明する図（ｂ）第２の実施の形態の効果を説明する図
【符号の説明】
【００５１】
１  放送装置
１０  センタ装置
１２  音源装置
１４  放送制御部
１６  インターフェース部
１８  操作部
２０  スピーカ
２２  受信部
２４  事故検知部
２６  送受信部
【図１】
2006295285.tif 000003
【図２】
2006295285.tif 000004
【図３】
2006295285.tif 000005
【図４】
2006295285.tif 000006
【図５】
2006295285.tif 000007
【図６】
2006295285.tif 000008
【図７】
2006295285.tif 000009
【図８】
2006295285.tif 000010